(57)【特許請求の範囲】
【請求項１】
昇降路内に昇降自在に配置された乗りかごと、
前記乗りかごの下方部に設けられた一対のかご固定シーブと、
前記昇降路に固定された一対の上端を有し、前記一対のかご固定シーブに掛け渡されたロープと、
前記乗りかごに支持され、前記ロープが各々の外周に巻付けられると共に少なくとも一方が移動可能な一対の可動シーブと、
前記一対の可動シーブを離接方向に駆動させるシーブ駆動部とを備え、
前記シーブ駆動部により前記一対の可動シーブが離接することにより、前記乗りかごが前記ロープにより昇降され、
前記ロープは、一方の前記上端から下方に延び、前記乗りかごの一側で当該乗りかごの側方を通って一方の前記かご固定シーブまで案内されると共に、他方の前記上端から下方に延び、前記乗りかごの一側とは反対側となる他側で前記乗りかごの側方を通って他方の前記かご固定シーブまで案内され、
前記一対の可動シーブは、前記乗りかごの下方部に支持され、且つ、前記一対のかご固定シーブ間に配置されている、
ことを特徴とするエレベータ。
【請求項２】
前記一対の可動シーブの軸及び前記一対のかご固定シーブの軸が、水平方向に並んで配置されていることを特徴とする請求項１に記載のエレベータ。
【請求項３】
各かご固定シーブの外径が、各可動シーブの外径よりも大きいことを特徴とする請求項１または２に記載のエレベータ。
【請求項４】
前記シーブ駆動部は、各可動シーブに連結され、前記一対の可動シーブを離接方向に駆動させるボールネジを含むことを特徴とする請求項１乃至３のいずれか一項に記載のエレベータ。
【請求項５】
ダブルデッキ型エレベータにおいて、
昇降路内に昇降自在に配置されたかごフレームと、
前記かごフレーム内に上下方向に昇降自在に配置された第１乗りかごと、
前記かごフレーム内において前記第１乗りかごの上方または下方に配置された第２乗りかごと、
前記第１乗りかごの下方部に設けられた一対の第１かご固定シーブと、
前記かごフレームに固定された一対の上端を有し、前記一対の第１かご固定シーブに掛け渡された第１ロープと、
前記第１乗りかごに支持され、前記第１ロープが巻付けられると共に少なくとも一方が移動可能な一対の第１可動シーブと、
前記一対の第１可動シーブを離接方向に駆動させる第１シーブ駆動部とを備え、
前記第１シーブ駆動部により前記一対の第１可動シーブが離接することにより前記第１乗りかごが前記第１ロープにより昇降され、
前記第１ロープは、一方の前記上端から下方に延び、前記第１乗りかごの一側で当該第１乗りかごの側方を通って一方の前記第１かご固定シーブまで案内されると共に、他方の前記上端から下方に延び、前記第１乗りかごの一側とは反対側となる他側で前記第１乗りかごの側方を通って他方の前記第１かご固定シーブまで案内され、
前記一対の第１可動シーブは、前記第１乗りかごの下方部に支持され、且つ、前記一対の第１かご固定シーブ間に配置されている
ことを特徴とするダブルデッキ型エレベータ。
【請求項６】
前記一対の第１可動シーブの軸及び前記一対の第１かご固定シーブの軸が、水平方向に並んで配置されていることを特徴とする請求項５に記載のダブルデッキ型エレベータ。
【請求項７】
前記第２乗りかごは、前記第１乗りかごの下方に昇降自在に配置されており、
前記第２乗りかごの下方部に設けられた一対の第２かご固定シーブと、
前記かごフレームに固定された一対の上端を有し、前記一対の第２かご固定シーブに掛け渡された第２ロープと、
前記第２乗りかごに支持され、前記第２ロープが巻付けられると共に少なくとも一方が移動可能な一対の第２可動シーブと、
前記一対の第２可動シーブを離接方向に駆動させる第２シーブ駆動部とを更に備え、
前記第２シーブ駆動部により前記一対の第２可動シーブが離接することにより前記第２乗りかごが前記第２ロープにより昇降される
ことを特徴とする請求項５または６に記載のダブルデッキ型エレベータ。
【発明の詳細な説明】
【技術分野】
【０００１】
本発明は、エレベータ及びダブルデッキ型エレベータに関し、とりわけ、乗りかごを昇降させる機構を改良させたエレベータ及びダブルデッキ型エレベータに関する。
【背景技術】
【０００２】
従来のエレベータの構成の一例として、例えば特許文献１に記載されたエレベータについて、図１０を参照して説明する。図１０は、特許文献１に記載されたエレベータの構成を示す概略正面図である。図１０に示すエレベータは、昇降路５０２内に昇降自在に配置された乗りかご５０３と、乗りかご５０３を昇降工程５１９の範囲内で昇降させるためのロープ５１０と、乗りかご５０３にロープ５１０を介して接続されると共に乗りかご５０３に連動して昇降路５０２内を昇降する吊り合いおもり５０５とを備えている。このうち、ロープ５１０は、吊り合いおもり５０５と乗りかご５０３との間で巻上機シーブ５０４に巻付けられている。更に、ロープ５１０は、一端において、乗りかご５０３を案内するガイドレール５０６の上部に固定されたかご側ロープヒッチ５０７に接続され、他端において、吊り合いおもり５０５を案内するおもり側ガイドレール５０８の上部に固定されたおもり側ロープヒッチ５０９に接続されている。
【０００３】
巻上機シーブ５０４が一方に回転駆動されてロープ５１０が巻上げられると、乗りかご５０３が上昇し、巻上機シーブ５０４が他方に回転駆動されてロープ５１０が巻下げられると、乗りかご５０３が下降する。
【先行技術文献】
【特許文献】
【０００４】
【特許文献１】特開２００９−１２８６５号公報
【発明の概要】
【発明が解決しようとする課題】
【０００５】
従来のエレベータでは、乗りかご５０３の昇降工程５１９の範囲の大きさに依らず、乗りかご５０３を昇降させるための機構として、巻上機シーブ５０４と吊り合いおもり５０５とおもり側ガイドレール５０８とを用いる構成が採用されていた。この場合、とりわけ乗りかご５０３の昇降工程５１９の範囲が狭いエレベータにおいて、乗りかご５０３が最も下方にある位置から最も上方にある位置まで昇降しても、巻上機シーブ５０４が数回転しか駆動しない場合もある。それにも関わらず、乗りかご５０３を昇降させるために、大きな巻上機シーブ５０４、重たい吊り合いおもり５０５及び巨大なおもり側ガイドレール５０８を利用しなければならず、これら大きな構成部品の据付に多大な労力を要したり昇降路５０２内に広いスペースを確保しなければならない、という問題があった。
【０００６】
本発明は、このような点を考慮してなされたものであり、乗りかごを昇降させるための機構を簡易にすることにより、据付を容易に行うことができ、且つ、昇降路内に広いスペースを必要としないエレベータ及びダブルデッキ型エレベータを提供することを目的とする。
【課題を解決するための手段】
【０００７】
本発明によるエレベータは、昇降路内に昇降自在に配置された乗りかごと、前記乗りかごの下方部に設けられた一対のかご固定シーブと、前記昇降路に固定された一対の上端を有し、前記一対のかご固定シーブに掛け渡されたロープと、前記乗りかごに支持され、前記ロープが各々の外周に巻付けられると共に少なくとも一方が移動可能な一対の可動シーブと、前記一対の可動シーブを離接方向に駆動させるシーブ駆動部とを備え、前記シーブ駆動部により前記一対の可動シーブが離接することにより、前記乗りかごが前記ロープにより昇降されることを特徴とする。
【０００８】
本発明によるエレベータにおいて、前記一対の可動シーブは、乗りかごの下方部に支持され、前記一対のかご固定シーブ間に配置されていてもよい。
【０００９】
あるいは、本発明によるエレベータは、昇降路内に昇降自在に配置された乗りかごと、前記昇降路に固定された一対の上端を有するロープと、前記乗りかごの上方部において支持され、前記ロープが各々の外周に巻付けられると共に少なくとも一方が移動可能な一対の可動シーブと、前記一対の可動シーブを離接方向に駆動させるシーブ駆動部とを備え、前記シーブ駆動部により前記一対の可動シーブが離接することにより、前記乗りかごが前記ロープにより昇降されることを特徴とする。
【００１０】
一例として、本発明によるエレベータにおいて、前記シーブ駆動部は、各可動シーブに連結され、前記一対の可動シーブを離接方向に駆動させるボールネジを含んでもよい。
【００１１】
あるいは、本発明によるエレベータにおいて、前記シーブ駆動部は、各可動シーブに連結され、前記一対の可動シーブを離接方向に駆動させるパンタグラフジャッキを含んでもよい。
【００１２】
あるいは、本発明によるエレベータにおいて、前記シーブ駆動部は、各可動シーブに連結され、前記一対の可動シーブを離接方向に駆動させる油圧ジャッキを含んでもよい。
【００１３】
一方、本発明によるダブルデッキ型エレベータは、昇降路内に昇降自在に配置されたかごフレームと、前記かごフレーム内に上下方向に昇降自在に配置された第１乗りかごと、前記かごフレーム内において前記第１乗りかごの上方または下方に配置された第２乗りかごと、前記第１乗りかごの下方部に設けられた一対の第１かご固定シーブと、前記かごフレームに固定された一対の上端を有し、前記一対の第１かご固定シーブに掛け渡された第１ロープと、前記第１乗りかごに支持され、前記第１ロープが巻付けられると共に少なくとも一方が移動可能な一対の第１可動シーブと、前記一対の第１可動シーブを離接方向に駆動させる第１シーブ駆動部とを備え、前記第１シーブ駆動部により前記一対の第１可動シーブが離接することにより前記第１乗りかごが前記第１ロープにより昇降されることを特徴とする。
【００１４】
あるいは、本発明によるダブルデッキ型エレベータは、昇降路内に昇降自在に配置されたかごフレームと、前記かごフレーム内に上下方向に昇降自在に配置された第１乗りかごと、前記かごフレーム内において前記第１乗りかごの上方または下方に配置された第２乗りかごと、前記かごフレームに固定された一対の上端を有する第１ロープと、前記第１乗りかごの上方部に支持され、前記第１ロープが巻付けられると共に少なくとも一方が移動可能な一対の第１可動シーブと、前記一対の第１可動シーブを離接方向に駆動させる第１シーブ駆動部とを備え、前記第１シーブ駆動部により前記一対の第１可動シーブが離接することにより前記第１乗りかごが前記第１ロープにより昇降されることを特徴とする。
【００１５】
本発明によるダブルデッキ型エレベータにおいて、前記第２乗りかごは、前記第１乗りかごの下方に昇降自在に配置されており、前記第２乗りかごの下方部に設けられた一対の第２かご固定シーブと、前記かごフレームに固定された一対の上端を有し、前記一対の第２かご固定シーブに掛け渡された第２ロープと、前記第２乗りかごに支持され、前記第２ロープが巻付けられると共に少なくとも一方が移動可能な一対の第２可動シーブと、前記一対の第２可動シーブを離接方向に駆動させる第２シーブ駆動部とを更に備え、前記第２シーブ駆動部により前記一対の第２可動シーブが離接することにより前記第２乗りかごが前記第２ロープにより昇降されてもよい。
【発明の効果】
【００１６】
本発明によるエレベータによれば、ロープが巻付けられた一対の可動シーブがシーブ駆動部によって離接されることにより、ロープが巻上げ乃至巻下げられて乗りかごを昇降させることができる。このため、昇降路内に大きな巻上機シーブ、重たい吊り合いおもり及び巨大なおもり側ガイドレールを設ける必要がなく、乗りかごを昇降させるための機構を簡易にすることができる。この結果、乗りかごを昇降させるための機構を構成する構成部品の据付を容易に行うことができ、且つ、当該構成部品を昇降路内に省スペースで設置することができる。
【００１７】
また、本発明によるダブルデッキ型エレベータによれば、第１ロープが巻付けられた一対の第１可動シーブを、第１シーブ駆動部によって離接させることにより、第１ロープを巻上げ乃至巻下げて第１乗りかごをかごフレーム内で昇降させることができる。これにより、上下方向で乗り場間の高さが異なる場合であっても、第１乗りかごをかごフレーム内で昇降させることによって、第１乗りかご及び第２乗りかごを対応する乗り場に対してそれぞれ位置合せすることができる。このような形態によれば、乗りかごをかごフレーム内で昇降させるための機構を簡易にすることができ、当該機構を構成する構成部品の据付を容易に行うことができる。
【図面の簡単な説明】
【００１８】
【図１Ａ】本発明の第１の実施の形態によるエレベータの構成を示す概略正面図である。
【図１Ｂ】図１Ａのエレベータにおいて、乗りかごが下降した状態を示す概略正面図である。
【図２】図１Ａのエレベータにおける可動シーブ及びシーブ駆動部を拡大して示す概略斜視図である。なお、ロープを省略して図示している。
【図３】本発明の第２の実施の形態によるエレベータの構成を示す概略正面図である。
【図４】図１のエレベータの可動シーブの他の例を示す概略正面図である。なお、ロープを省略して図示している。
【図５】図１のエレベータの可動シーブの更に他の例を示す概略正面図である。
【図６】図１Ａに示すエレベータにおけるシーブ駆動部の他の例を示す概略平面図である。
【図７Ａ】図１Ａに示すエレベータにおけるシーブ駆動部の更に他の例を示す概略正面図である。
【図７Ｂ】図７Ａに示すエレベータにおいて、乗りかごが下降した状態を示す概略正面図である。
【図８】本発明の第３の実施の形態によるダブルデッキ型エレベータの構成を示す概略正面図である。
【図９】本発明の第４の実施の形態によるダブルデッキ型エレベータの構成を示す概略正面図である。
【図１０】特許文献１に記載されたエレベータの構成を示す概略正面図である。
【発明を実施するための形態】
【００１９】
≪第１の実施の形態≫
≪構成≫
以下、図面を参照して、本発明の一実施の形態について説明する。図１Ａは、本発明の第１の実施の形態によるエレベータ１の構成を示す概略正面図である。図１Ｂは、図１Ａのエレベータ１において、乗りかご３が下降した状態を示す概略正面図である。図２は、図１Ａのエレベータ１における可動シーブ２０及びシーブ駆動部３０を拡大して示す概略斜視図である。
【００２０】
図１Ａ及び図１Ｂに示すように、本実施の形態のエレベータ１は、昇降路２内に昇降自在に配置された乗りかご３と、昇降路２に固定された一対の上端１１を有するロープ１０と、乗りかご３の下方部に設けられ、ロープ１０が掛け渡された一対のかご固定シーブ４０と、乗りかご３の下方部に設けられた支持機構５０と、当該支持機構５０により乗りかご３に可動に支持され、ロープ１０が巻付けられた一対の可動シーブ２０とを備えている。また、一対の可動シーブ２０間にシーブ駆動部３０が設けられ、このシーブ駆動部３０は各可動シーブ２０に連結されている。そして、シーブ駆動部３０によって、一対の可動シーブ２０が離接方向に駆動されるようになっている。なお、一対の可動シーブ２０は、一対のかご固定シーブ４０の間に位置している。
【００２１】
また、図１Ａ及び図１Ｂに示すように、一対のロープヒッチ７が昇降路２の上方に固定されており、各ロープヒッチ７に、対応するロープ１０の上端１１が接続されている。また、ロープ１０は、各ロープヒッチ７から下方に延び乗りかご３の側方を通ってかご固定シーブ４０まで案内され、更に、ロープ１０は、一対のかご固定シーブ４０間まで延びている。上述のように、一対のかご固定シーブ４０間において、ロープ１０は、各可動シーブ２０の外周に巻付けられている。このようなロープ１０は、一つまたは複数の鋼線からなり、これらの鋼線が互いに平行に延びて、一束のロープ１０が構成される。
【００２２】
次に、離接方向に駆動される一対の可動シーブ２０について説明する。一対の可動シーブ２０は、支持機構５０を介して乗りかご３の下方部に支持されると共に水平方向に並んで配置され、一対の可動シーブ２０のうち少なくとも一方が移動可能になっている。本実施の形態では、一対の可動シーブ２０は、双方とも水平方向に移動可能になっており、具体的には、互いに接近する方向または互いに離間する方向（離接方向）に移動可能になっている。また、各可動シーブ２０は、上述のように乗りかご３の下方部において支持機構５０により可動に支持されている。
【００２３】
図２に示すように、各可動シーブ２０は、ロープ１０が巻付けられたシーブ部２２と、当該シーブ部２２を回動自在に支持する軸２１とを含んでいる。このうち、軸２１は、シーブ駆動部３０に連結され、当該シーブ駆動部３０によって、一対の可動シーブ２０の軸２１が離接方向に駆動されるようになっている。
【００２４】
次に、可動シーブ２０を可動に支持する支持機構５０について説明する。図１Ａ、図１Ｂ及び図２に示すように、支持機構５０は、乗りかご３の底面に固定され、この乗りかご３の底面から鉛直下方に延びる一対のガイド板５１を含んでいる。この一対のガイド板５１は、一対の可動シーブ２０及びシーブ駆動部３０がそれらの間に位置するように、互いに対向して配置されている。各ガイド板５１には、水平方向にガイド溝５２が形成されており、当該ガイド溝５２を各可動シーブ２０の軸２１が貫通している。このような形態により、可動シーブ２０の軸２１を支持機構５０によって安定して支持することができる。加えて、可動シーブ２０を離接方向に安定して移動させることもできる。
【００２５】
また、シーブ駆動部３０は、スクリュージャッキあるいはボールネジジャッキとも呼ばれる形態を有し、支持機構５０の一対のガイド板５１間に配置されている。シーブ駆動部３０は、図２に示すように、対応する可動シーブ２０の軸２１に連結された一対の可動部３２を含み、各可動部３２には、対応する可動シーブ２０の軸２１に直交し且つ水平方向に延びる貫通孔３６が形成されている。各可動部３２の貫通孔３６を貫通してボールネジ３１が設けられ、ボールネジ３１には電動モータ３３が連結され、この電動モータ３３によりボールネジ３１が回転駆動される。また、シーブ駆動部３０のボールネジ３１には、電動モータ３３が連結された一方側から中間部にかけて雄ネジからなる第１ねじ部３４が形成され、ボールネジ３１の軸方向の中間部から電動モータ３３とは反対側の他方側にかけて、第１ねじ部３４に対して逆ネジの関係となる雄ネジからなる第２ねじ部３５が形成されている。そして、一方の可動部３２は第１ねじ部３４に螺合しており、他方の可動部３２は第２ねじ部３５に螺合している。このような形態によって、電動モータ３３によりボールネジ３１が回転駆動されると、ボールネジ３１に螺合された一対の可動部３２及びこれに接続された可動シーブ２０が離接方向に移動されるようになっている。
【００２６】
次に、かご固定シーブ４０について説明する。かご固定シーブ４０は、乗りかご３とロープ１０とが干渉しないように、ロープ１０を乗りかご３の周りに案内するものである。
図１Ａに示すように、一対のかご固定シーブ４０は、一対の可動シーブ２０がそれらの間に位置するように水平方向に並んで配置されている。具体的な構成として、各かご固定シーブ４０は、ロープ１０が掛け渡されたシーブ部４２と、当該シーブ部４２に連結された軸４１と、を有し、当該軸４１は、乗りかご３の底面に固定された一対の支持板４３により回動自在に支持されている。
【００２７】
このような配置からなる可動シーブ２０及びかご固定シーブ４０に対してロープ１０が掛け渡されている。具体的には、ボールネジ３１の軸方向において、モータ３３が接続された側を一方側とし、ボールネジ３１の先端側を他方側とすると、ロープ１０は、一方側のかご固定シーブ４０から他方側の可動シーブ２０及び一方側の可動シーブ２０に順に巻付けられ、その後他方側のかご固定シーブ４０に掛け渡されている。
【００２８】
なお、本実施の形態では、各可動シーブ２０のシーブ部２２に、周方向に延びる複数の溝（不図示）が軸２１の延在方向に並べて形成されている。そして、各可動シーブ２０においてこの複数の溝のうちからいくつかを選択して、この選択された溝にロープ１０が巻付けられる。このとき、電動モータ３３側の一方側の可動シーブ２０の溝と電動モータ３３と反対側の他方側の可動シーブ２０の溝とは、軸２１の方向にずれるように選択される。このことにより、ロープ１０が軸２１の方向にずらされながら各可動シーブ２０に巻付けられることになり、一対の可動シーブ２０間においてロープ１０を干渉することなく一対の可動シーブ２０に巻付けることができる。
【００２９】
ここで、一対の可動シーブ２０及び一対のかご固定シーブ４０の位置関係について、更に詳述していく。先ず、一対の可動シーブ２０の軸２１及び一対のかご固定シーブ４０の軸４１は、同一水平面上に並んで配置されることが好ましい。このような位置関係によれば、ロープ１０をバランスよく掛け渡すことができるため、ロープ１０に過大な負荷が掛かることを効果的に抑制することができる。この結果、乗りかご３を安定して昇降させることができる。
【００３０】
加えて、図１Ａに示すように、かご固定シーブ４０のシーブ部４２の外径は、可動シーブ２０のシーブ部２２の外径よりも大きい方が好ましい。この場合、かご固定シーブ４０の下端が、可動シーブ２０の下端よりも下方に位置することになる。ここで、かご固定シーブ４０は、可動シーブ２０よりも乗りかご３の底面の周縁側に配置されている。このため、かご固定シーブ４０は、可動シーブ２０よりも外方から目視にて視認され易くなる。このことにより、乗りかご３を昇降路２内に設置する際に、外方から目視にて容易に視認可能なかご固定シーブ４０のうち、その下端を基準として、乗りかご３の鉛直方向における昇降路２内の壁面、あるいは他の障害物等との干渉を点検することができる。このため、乗りかご３を昇降路２内に設置する作業が容易になる。
【００３１】
とりわけ、エレベータ１では、なんらかの不具合によって乗りかご３が昇降工程１９の範囲を越えて昇降し、昇降路２の下部にある壁面等と接触することを防止するため、乗りかご３の下方の昇降路２内に緩衝器（不図示）が設置されている。この緩衝器と乗りかご３の最下端部との間には、規定のクリアランスを維持する必要がある。他方、ロープ１０は、負荷が掛かると伸びが発生し、更に時間の経過と共にこの伸び量は増大していく。このため、エレベータ１では、緩衝器と乗りかご３の最下端部との間のクリアランスを定期的に点検する必要がある。本実施の形態では、緩衝器と乗りかご３の最下端部として、外方から目視可能なかご固定シーブ４０の下端を基準として定めることができ、この場合は、緩衝器とかご固定シーブ４０の下端とのクリアランスを点検すればよいため、この点検作業を容易に行うことができる。
【００３２】
また、一対の可動シーブ２０は、乗りかご３の中心部を通り、乗りかご３の底面及び可動シーブ２０の離接方向に垂直な面に関して対称に配置されており、一対のかご固定シーブ４０も、乗りかご３の中心部を通り、乗りかご３の底面及び可動シーブ２０の離接方向に垂直な面に関して対称に配置されている。このように可動シーブ２０及びかご固定シーブ４０を配置することにより、ロープ１０から一対の可動シーブ２０及び一対のかご固定シーブ４０に加わる水平方向の力を互いに打ち消すことができ、このため、乗りかご３をバランスよく昇降させることができる。
【００３３】
≪作用・効果≫
次に、以上のような構成からなる本実施の形態の作用について、図１Ａ及び図１Ｂを参照しながら説明する。
【００３４】
乗りかご３を上昇させる際には、図１Ａに示すように、電動モータ３３によりボールネジ３１が一方に回転駆動され、ボールネジ３１に螺合された一対の可動部３２が互いに離間する方向に移動される。これに応じて、対応する可動部３２に接続された一対の可動シーブ２０も、互いに離間する方向に移動され、ロープ１０が巻上げられる。この結果、乗りかご３が上昇する。
【００３５】
乗りかご３を下降させる際には、図１Ｂに示すように、電動モータ３３によりボールネジ３１が他方に回転駆動され、ボールネジ３１に螺合された一対の可動部３２が互いに接近する方向に移動される。これに応じて、対応する可動部３２に接続された一対の可動シーブ２０も、互いに接近する方向に移動され、ロープ１０が巻下げられる。この結果、乗りかご３が下降する。
【００３６】
以上のように、本実施の形態によれば、ロープ１０が巻付けられた一対の可動シーブ２０を、シーブ駆動部３０によって離接させることにより、ロープ１０を巻上げ乃至巻下げて乗りかご３を昇降させることができる。このため、昇降路２内に大きな巻上機シーブ、重たい吊り合いおもり及び巨大なおもり側ガイドレールを設ける必要がなく、乗りかご３を昇降させるための機構を簡易にすることができる。この結果、乗りかご３を昇降させるための機構を構成する構成部品の据付を容易に行うことができ、且つ、当該構成部品を昇降路２内に省スペースで設置することができる。
【００３７】
また、本実施の形態によれば、可動シーブ２０が、乗りかご３の下方部において支持機構５０により可動に支持されている。一般に、エレベータでは乗りかご３の底面は強度を確保するために厚く形成されている上に、乗りかご３内にいる利用者の耳は上方に位置するため、利用者に乗りかご３の下方からの音は伝わり難い。このため、可動シーブ２０に連結されたシーブ駆動部３０から生じる動作音を乗りかご３内にいる利用者に伝わり難くすることができる。
【００３８】
また、本実施の形態によれば、一対の可動シーブ２０の軸２１及び一対のかご固定シーブ４０の軸４１は、水平方向に並んで配置されており、かご固定シーブ４０の外径は、可動シーブ２０の外径よりも大きくなっている。この場合、ロープ１０に加わる乗りかご３の自重をかご固定シーブ４０によって受けることができるため、可動シーブ２０に乗りかご３の自重による過大な負荷が掛からない。このため、可動シーブ２０を比較的容易に離接させることができ、可動シーブ２０及びシーブ駆動部３０を比較的軽量に構成することができる。
【００３９】
また、本実施の形態によれば、シーブ駆動部３０は、各可動シーブ２０に可動部３２を介して連結され一対の可動シーブ２０を離接方向に駆動させるボールネジ３１を含んでいる。このため、シーブ駆動部３０をコンパクトに構成しながら一対の可動シーブ２０を離接方向に長いストロークで駆動させることができる。
【００４０】
≪第２の実施の形態≫
次に、図３を参照して、本発明の第２の実施の形態について説明する。図３は、本発明の第２の実施の形態によるエレベータの構成を示す概略正面図である。図１Ａに示す第１の実施の形態では、可動シーブ２０が乗りかご３の下方部において支持機構５０により可動に支持された例を示したが、図３に示す例では、乗りかご３の上方部、具体的には乗りかご３の上面に、可動シーブ２０が支持機構５０により可動に支持されている。また、図３において、かご固定シーブ４０が乗りかご３に設けられていない。その他の構成は、図１Ａに示す第１の実施の形態と略同様である。図３において、図１に示す第１の実施の形態と同一の部分には同一の符号を付して詳細な説明は省略する。
【００４１】
図３に示すエレベータ１は、昇降路２内に昇降自在に配置された乗りかご３と、昇降路２に固定された一対の上端１１を有するロープ１０と、乗りかご３の上方部に設けられた支持機構５０と、当該支持機構５０により乗りかご３に可動に支持され、ロープ１０が巻付けられた一対の可動シーブ２０とを備えている。また、一対の可動シーブ２０間にシーブ駆動部３０が設けられ、このシーブ駆動部３０は各可動シーブ２０に連結されている。そして、当該シーブ駆動部３０によって、一対の可動シーブ２０が離接方向に駆動されるようになっている。
【００４２】
以上のように、本実施の形態によれば、ロープ１０が巻付けられた一対の可動シーブ２０を、シーブ駆動部３０によって離接させることにより、ロープ１０を巻上げ乃至巻下げて乗りかご３を昇降させることができる。このため、昇降路２内に大きな巻上機シーブ、重たい吊り合いおもり及び巨大なおもり側ガイドレールを設ける必要がなく、乗りかご３を昇降させるための機構を簡易にすることができる。この結果、乗りかご３を昇降させるための機構を構成する構成部品の据付を容易に行うことができ、且つ、当該構成部品を昇降路２内に省スペースで設置することができる。
【００４３】
また、本実施の形態によれば、可動シーブ２０及びシーブ駆動部３０を点検する際に、作業者が乗りかご３の上から下方を向いて作業を行うことができるため、当該作業を安全且つ効率よく行うことができる。
【００４４】
また、本実施の形態によれば、乗りかご３の上方部に可動シーブ２０を設置したので、ロープヒッチ７と可動シーブ２０との間をロープ１０により直接接続することができる。このため、ロープ１０が通る位置を規制するかご固定シーブ４０を設けなくてもよい。これにより、乗りかご３を昇降させるための機構を更に簡易にすることができる。なお、図３において、ロープ１０に加わる乗りかご３の自重は、可動シーブ２０により受けることになる。
【００４５】
また、本実施の形態によれば、ロープ１０は、乗りかご３の上方を通り、乗りかご３の側方を通らない。このため、乗りかご３とロープ１０とが干渉するおそれはない。このように、乗りかご３の側面と昇降路２との間にロープ１０が通る隙間を設ける必要がないため、昇降路２の幅方向のスペースを狭くすることができる。
【００４６】
≪変形例≫
なお、上述した第１の実施の形態及び第２の実施の形態に対して様々な変更を加えることが可能である。以下、図４〜図７Ａ及び図７Ｂを参照しながら、変形の一例について説明する。また、図４〜図７Ａ及び図７Ｂに示す変形例では、これらの変形例を第１の実施の形態に適用した例を用いて説明するが、図４〜図７Ａ及び図７Ｂに示す変形例を第２の実施の形態に適用することも可能である。
【００４７】
上述した実施の形態では、図１Ａに示すように、ロープ１０が可動シーブ２０にいわゆるシングルループ構造で巻付けられる例を示したが、本発明はこのような例に限定されない。図４に、ロープ１０を可動シーブ１２０に巻付ける他の例を示す。図４に示す例では、ロープ１０が可動シーブ１２０にいわゆるダブルループ構造で巻付けられている。
【００４８】
具体的には、一対の可動シーブ１２０は、ボールネジ３１の軸方向に並んで配置されている。各可動シーブ１２０は、互いに対向配置されロープ１０が巻付けられた第１シーブ１２２ａ及び第２シーブ１２２ｂと、当該第１シーブ１２２ａ及び第２シーブ１２２ｂを回動自在に支持する軸１２１とを含んでいる。このうち、軸１２１は、シーブ駆動部３０の可動部３２に連結され、当該シーブ駆動部３０によって、一対の可動シーブ１２０の軸１２１が離接方向に駆動されるようになっている。
【００４９】
このような配置からなる可動シーブ１２０及びかご固定シーブ４０に対してロープ１０が掛け渡されている。具体的には、ボールネジ３１の軸方向において、モータ３３が接続された側を一方側とし、ボールネジ３１の先端側を他方側とすると、ロープ１０は、一方側のかご固定シーブ４０から他方側の第１シーブ１２２ａ、一方側の第２シーブ１２２ｂ、他方側の第２シーブ１２２ｂ及び一方側の第１シーブ１２２ａに順に巻付けられ、他方側のかご固定シーブ４０に向かう。
【００５０】
このような形態によって、電動モータ３３によりボールネジ３１が回転駆動されると、ボールネジ３１に螺合された一対の可動部３２及びこれに接続された可動シーブ２０が離接方向に移動されるようになっている。このような形態によれば、一対の可動シーブ１２０が離接方向に移動される移動量に対して、各可動シーブ１２０に巻付けられたロープ１０の巻上げ乃至巻下げ量は２倍になっている。このため、一対の可動シーブ１２０の離接方向のストロークを大きくしなくても、ロープ１０の巻上げ乃至巻下げ量を増大させることができる。
【００５１】
更に、図５に、ロープ１０を可動シーブ２２０に巻付ける更に他の例を示す。図５に示す例では、ロープ１０が可動シーブ２２０にいわゆるトリプルループ構造で巻付けられている。
【００５２】
具体的には、一対の可動シーブ２２０は、ボールネジ３１の軸方向に並んで配置されている。各可動シーブ２２０は、各々同一構造をもち、上下方向に並べて配置されロープ１０が巻付けられた第１シーブ２２２ａ及び第２シーブ２２２ｂと、第１シーブ２２２ａを回動自在に支持する第１軸２２１ａと、第２シーブ２２２ｂを回動自在に支持する第２軸２２１ｂとを含んでいる。各第１軸２２１ａ及び第２軸２２１ｂは、シーブ駆動部３０の対応する可動部３２に連結され、当該シーブ駆動部３０によって、一対の可動シーブ２２０の第１軸２２１ａ及び第２軸２２１ｂが離接方向に駆動されるようになっている。
【００５３】
図５に示すように、一対の可動シーブ２２０は、支持機構２５０によって可動に支持されている。この支持機構２５０は、乗りかご３の底面に固定され、この乗りかご３の底面から鉛直下方に延びる一対のガイド板２５１を含んでいる。この一対のガイド板２５１は、一対の可動シーブ２２０及びシーブ駆動部３０が間に位置するように、互いに対向して配置されている。各ガイド板２５１には、ボールネジ３１の軸方向に第１ガイド溝２５２及び第２ガイド溝２５３が形成されており、第１ガイド溝２５２を各可動シーブ２０の第１軸２２１ａが貫通し、第２ガイド溝２５３を各可動シーブ２２０の第２軸２２１ｂが貫通している。このような構造により、可動シーブ２２０の第１軸２２１ａ及び第２軸２２１ｂを支持機構５０によって安定して支持することができる。加えて、可動シーブ２２０を離接方向に安定して移動させることもできる。
【００５４】
図５に示すように、可動シーブ２２０及びかご固定シーブ４０に対してロープ１０が掛け渡されている。具体的には、ボールネジ３１の軸方向において、モータ３３が接続された側を一方側とし、ボールネジ３１の先端側を他方側とすると、ロープ１０は、一方側のかご固定シーブ４０から他方側の第１シーブ２２２ａ、一方側の第１シーブ２２２ａに順に巻付けられ、次に他方側の第１シーブ２２２ａに再度巻付けられる。次に、ロープ１０は、一方側の第２シーブ２２２ｂ、他方側の第２シーブ２２２ｂに順に巻付けられ、次に一方側の第２シーブ２２２ｂに再度巻付けられる。そして、ロープ１０は、他方側のかご固定シーブ４０に向かう。
【００５５】
なお、本形態では、各可動シーブ２２０の第１シーブ部２２２ａ及び第２シーブ部２２２ｂに、周方向に延びる複数の溝（不図示）が軸２２１ａ、２２１ｂの延在方向に並べて形成されている。そして、各可動シーブ２２０においてこの複数の溝のうちからいくつかを選択して、この選択された溝にロープ１０が巻付けられる。このとき、ロープ１０が二回巻付けられるシーブ２２２ａ、２２２ｂの溝は、軸２１の延在方向にズレるように選択される。このことにより、ロープ１０が軸２１の延在方向にずらされながら各シーブ部２２２ａ、２２２ｂに巻付けられることになり、当該シーブ部２２２ａ、２２２ｂにおいてロープ１０を干渉することなく一対の可動シーブに巻付けることができる。
【００５６】
このような形態によって、電動モータ３３によりボールネジ３１が回転駆動されると、ボールネジ３１に螺合された一対の可動部３２及びこれに接続された可動シーブ２０が離接方向に移動されるようになっている。このような形態によれば、一対の可動シーブ２２０が離接方向に移動される移動量に対して、各可動シーブ２２０に巻付けられたロープ１０の巻上げ乃至巻下げ量は３倍になっている。このため、一対の可動シーブ２２０の離接方向のストロークを大きくしなくても、ロープ１０の巻上げ乃至巻下げ量を著しく増大させることができる。
【００５７】
以上の実施の形態では、図１Ａに示すように、シーブ駆動部３０が、各可動シーブ２０に連結され、一対の可動シーブ２０を離接方向に駆動させるボールネジ３１を含む例を示したが、本発明はこのような例に限定されない。図６に、シーブ駆動部３０の他の例を示す。図６に示す例では、シーブ駆動部１３０は、各可動シーブ２０に連結され、一対の可動シーブ２０を離接方向に駆動させるパンタグラフジャッキ１３１を含んでいる。
【００５８】
図６に示すように、シーブ駆動部１３０は、具体的な構成として、可動シーブ２０の軸２１を支持する一対の取付台１３８と、当該一対の取付台１３８間に介在され、当該一対の取付台１３８を離接方向に駆動させるパンタグラフジャッキ１３１と、当該パンタグラフジャッキ１３１を回転駆動させる電動モータ１３９とを含んでいる。
【００５９】
このうち、パンタグラフジャッキ１３１は、具体的には、各取付台１３８に枢着された一対のアーム１３２を含んでいる。各アーム１３２は、枢着ピン１３３ａ、１３３ｂを介してパンタグラフ状に連結された第１リンク部材１３２ａ及び第２リンク部材１３２ｂを有している。モータ１３９側にある枢着ピン１３３ａには、第１可動ブロック１３５が固定されており、モータ１３９より離れている側にある枢着ピン１３３ｂには、第２可動ブロック１３６が固定されている。そして、この第１可動ブロック１３５及び第２可動ブロック１３６にボールネジ１３４が貫通している。具体的には、ボールネジ１３４には、電動モータ１３９が連結された一方側から中間部にかけて雄ネジからなる第１ねじ部１３４ａが形成され、ボールネジ３１の軸方向の中間部から電動モータ３３とは反対側の他方側にかけて、第１ねじ部１３４ａに対して逆ネジの関係となる雄ネジからなる第２ねじ部１３４ｂが形成されている。そして、第２可動ブロック１３６は第１ねじ部１３４ａに螺合しており、第１可動ブロック１３５は第２ねじ部１３４ｂに螺合している。
【００６０】
このような形態によって、電動モータ１３９によりボールネジ１３４が回転駆動されると、ボールネジ１３４に螺合された第１可動ブロック１３５及び第２可動ブロック１３６がボールネジ１３４の軸方向に互いに離接移動されると共に一対のアーム１３２が拡縮されて、一対の取付台１３８が離接されるようになっている。結果として、一対の可動シーブ２０が離接方向に駆動される。
【００６１】
このようなシーブ駆動部１３０によれば、ロープ１０から一対の可動シーブ２０を互いに接近させる負荷が掛かっても、パンタグラフジャッキ１３１の一対のアーム１３２を介してボールネジ１３４が回転駆動されるようには作用しない。このため、一対の可動シーブ２０を離接方向に任意の距離だけ移動させた状態で保持することができる。
【００６２】
更に、図７Ａ及び図７Ｂに、シーブ駆動部の更に他の例を示す。このうち、図７Ａは、図１Ａに示すエレベータにおけるシーブ駆動部の更に他の例を示す概略平面図であり、図７Ｂは、図７Ａに示すエレベータ１において、乗りかご３が下降した状態を示す概略正面図である。図７Ａ及び図７Ｂにおいて、シーブ駆動部２３０は、各可動シーブ２０に連結され、一対の可動シーブ２０を離接方向に駆動させる油圧ジャッキ２３１を含んでいる。
【００６３】
図７Ａ及び図７Ｂに示す例では、可動シーブ２０は、油圧ジャッキ２３１を介して乗りかご３に可動に支持されている。
【００６４】
図７Ａに示すように、油圧ジャッキ２３１は、具体的な構成として、乗りかご３の下面に固定された本体部２３３と、当該本体部２３３に支持されると共に可動シーブ２０の軸２１に接続された伸縮可能な一対のプランジャー２３２とを含んでいる。そして、一対のプランジャー２３２は、ポンプ２３４からの油圧により離接方向に駆動することができるようになっている。
【００６５】
このような形態によって、ポンプ２３４により本体部２３３からプランジャー２３２に油圧が加えられると、一対のプランジャー２３２が伸張して、一対の可動シーブ２０が互いに離間する方向に駆動される。一方、本体部２３３内の油圧を下げていくと、ロープ１０からの負荷により一対の可動シーブ２０が互いに接近する方向に移動されると共に一対のプランジャー２３２が収縮していく。
【００６６】
≪第３の実施の形態≫
≪構成≫
次に、図８を参照して、本発明の第３の実施の形態について説明する。図８は、本発明の第３の実施の形態によるダブルデッキ型エレベータの構成を示す概略正面図である。
【００６７】
図８に示すように、本実施の形態のダブルデッキ型エレベータ３００は、昇降路３０２内に昇降自在に配置されたかごフレーム３０１と、かごフレーム３０１内に上下方向に昇降自在に配置された第１乗りかご３０３及び第２乗りかご３０４と、かごフレーム３０１を昇降させるための主ロープ３０６と、かごフレーム３０１に主ロープ３０６を介して接続されると共にかごフレーム３０１に連動して昇降路３０２内を昇降する吊り合いおもり３０５と、を備えている。このうち、主ロープ３０６は、吊り合いおもり３０５とかごフレーム３０１との間で巻上機シーブ３０７に巻付けられている。巻上機シーブ３０７が一方に回転駆動されて主ロープ３０６が巻上げられると、かごフレーム３０１が上昇し、巻上機シーブ３０７が他方に回転駆動されて主ロープ３０６が巻下げられると、かごフレーム３０１が下降する。
【００６８】
次に、かごフレーム３０１内に設けられた第１乗りかご３０３を昇降させるための機構について詳述する。ダブルデッキ型エレベータ３００は、かごフレーム３０１に固定された一対の上端３１１を有する第１ロープ３１０と、第１乗りかご３０３の下方部に設けられ、第１ロープ３１０が掛け渡された一対の第１かご固定シーブ３４０と、第１乗りかご３０３の下方部に設けられた第１支持機構３５０と、当該第１支持機構３５０により第１乗りかご３０３に可動に支持された一対の第１可動シーブ３２０とを更に備えている。このうち、一対の第１可動シーブ３２０は、第１ロープ３１０が外周に巻付けられると共に少なくとも一方が移動可能になっている。また、一対の第１可動シーブ３２０間に第１シーブ駆動部３３０が設けられ、この第１シーブ駆動部３３０は各第１可動シーブ３２０に連結されている。そして、第１シーブ駆動部３３０によって、一対の第１可動シーブ３２０が離接方向に駆動されるようになっている。なお、一対の第１可動シーブ３２０は、一対の第１かご固定シーブ３４０の間に位置している。
【００６９】
また、一対の第１ロープヒッチ３０８がかごフレーム３０１の上方に固定されており、各第１ロープヒッチ３０８に、対応する第１ロープ３１０の上端３１１が接続されている。
【００７０】
図８に示す第１ロープ３１０、第１可動シーブ３２０、第１シーブ駆動部３３０、第１かご固定シーブ３４０及び第１支持機構３５０は、それぞれ、図１Ａに示したロープ１０、可動シーブ２０、シーブ駆動部３０、かご固定シーブ４０及び支持機構５０に対応しており、ここではこれ以上詳細な説明を省略する。
【００７１】
次に、第１乗りかご３０３の下方に設けられた第２乗りかご３０４を昇降させるための機構について詳述する。ダブルデッキ型エレベータ３００は、かごフレーム３０１に固定された一対の上端３６１を有する第２ロープ３６０と、第１乗りかご３０３の下方部に設けられ、第２ロープ３６０が掛け渡された一対の第２かご固定シーブ３９０と、第２乗りかご３０４の下方部に設けられた第２支持機構４００と、当該第２支持機構４００により第２乗りかご３０４に可動に支持された一対の第２可動シーブ３７０とを更に備えている。このうち、一対の第２可動シーブ３７０は、第２ロープ３６０が巻付けられると共に少なくとも一方が移動可能になっている。また、一対の第２可動シーブ３７０間に第２シーブ駆動部３８０が設けられ、この第２シーブ駆動部３８０は第２可動シーブ３７０に連結されている。そして、第２シーブ駆動部３８０によって、一対の第２可動シーブ３７０が離接方向に駆動されるようになっている。なお、一対の第２可動シーブ３７０は、一対の第２可動シーブ３７０の間に位置している。
【００７２】
また、一対の第２ロープヒッチ３０９がかごフレーム３０１の鉛直方向における中央付近に固定されており、各第２ロープヒッチ３０９に、対応する第２ロープ３６０の上端３６１が接続されている。
【００７３】
図８に示す第２ロープ３６０、第２可動シーブ３７０、第２シーブ駆動部３８０、第２かご固定シーブ３９０及び第２支持機構４００は、それぞれ、上述した第１ロープ３１０、第１可動シーブ３２０、第１シーブ駆動部３３０、第１かご固定シーブ３４０及び第１支持機構３５０に対応しており、ここではこれ以上詳細な説明を省略する。
【００７４】
≪作用・効果≫
次に、以上のような構成からなる本実施の形態の作用について、図８を参照しながら説明する。
【００７５】
第１乗りかご３０３を昇降させる際には、第１電動モータ３３３により第１ボールネジ３３１が回転駆動され、第１ボールネジ３３１に螺合された一対の第１可動部（不図示）が離接方向に移動される。これに応じて、対応する第１可動部に接続された一対の第１可動シーブ３２０も、離接方向に移動され、第１ロープ３１０が巻上げ乃至巻下げられる。この結果、第１乗りかご３０３が昇降する。
【００７６】
第２乗りかご３０４を昇降させる際には、第２電動モータ３８３により第２ボールネジ３８１が回転駆動され、第２ボールネジ３８１に螺合された一対の第２可動部（不図示）が離接方向に移動される。これに応じて、対応する第２可動部に接続された一対の第２可動シーブ３７０も、離接方向に移動され、第２ロープ３６０が巻上げ乃至巻下げられる。この結果、第２乗りかご３０４が昇降する。
【００７７】
本実施の形態によれば、第１ロープ３１０が巻付けられた一対の第１可動シーブ３２０を、第１シーブ駆動部３３０によって離接させることにより、第１ロープ３１０を巻上げ乃至巻下げて第１乗りかご３０３をかごフレーム３０１内で昇降させることができる。これにより、上下方向で乗り場間の高さが異なる場合であっても、第１乗りかご３０３をかごフレーム３０１内で昇降させることによって、第１乗りかご３０３及び第２乗りかご３０４を対応する乗り場に対してそれぞれ位置合せすることができる。このような形態によれば、乗りかごをかごフレーム３０１内で昇降させるための機構を簡易にすることができ、当該機構を構成する構成部品の据付を容易に行うことができる。
【００７８】
また、本実施の形態によれば、第２ロープ３６０が巻付けられた一対の第２可動シーブ３７０を、第２シーブ駆動部３８０によって離接させることにより、第２ロープ３６０を巻上げ乃至巻下げて第２乗りかご３０４をもかごフレーム３０１内で昇降させることができる。このため、隣り合う乗り場の間の高さが大きく異なる場合であっても、第１乗りかご３０３及び第２乗りかご３０４を双方ともかごフレーム３０１内で昇降させることによって、第１乗りかご３０３及び第２乗りかご３０４を対応する乗り場に対してそれぞれ確実に位置合せすることができる。
【００７９】
以上の実施の形態では、図８に示すように、第１乗りかご３０３及び第２乗りかご３０４の双方ともが、かごフレーム３０１内に上下方向に昇降自在に配置された例を示したが、本発明はこのような例に限定されない。第１乗りかご３０３及び第２乗りかご３０４のうちの一方が、かごフレーム３０１内に上下方向に昇降自在に配置され、他方が、かごフレーム３０１内に固定されてもよい。
≪第４の実施の形態≫
【００８０】
次に、図９を参照して、本発明の第４の実施の形態について説明する。図９は、本発明の第４の実施の形態によるダブルデッキ型エレベータの構成を示す概略正面図である。図８に示す例では、第１可動シーブ３２０が第１乗りかご３０３の下方部において第１支持機構３５０により可動に支持された例を示したが、図９に示す例では、第１可動シーブ３２０が第１乗りかご３０３の上方部、具体的には第１乗りかご３０３の上面において第１支持機構３５０により可動に支持されている。また、第１かご固定シーブ３４０は第１乗りかご３０３に設けられていない。その他の構成は、図８に示す第３の実施の形態と略同様である。図９において、図８に示す第３の実施の形態と同一の部分には同一の符号を付して詳細な説明は省略する。
【００８１】
図９に示すように、ダブルデッキ型エレベータ３００は、かごフレーム３０１に固定された一対の上端３１１を有する第１ロープ３１０と、第１乗りかご３０３の上方部に設けられた第１支持機構３５０と、当該第１支持機構３５０により第１乗りかご３０３に可動に支持された一対の第１可動シーブ３２０とを備えている。このうち、一対の第１可動シーブ３２０は、第１ロープ３１０が外周に巻付けられると共に少なくとも一方が移動可能になっている。また、一対の第１可動シーブ３２０間に第１シーブ駆動部３３０が設けられ、この第１シーブ駆動部３３０は各第１可動シーブ３２０に連結されている。そして、第１シーブ駆動部３３０によって、一対の第１可動シーブ３２０が離接方向に駆動されるようになっている。
【００８２】
本実施の形態によっても、第１ロープ３１０が巻付けられた一対の第１可動シーブ３２０を、第１シーブ駆動部３３０によって離接させることにより、第１ロープ３１０を巻上げ乃至巻下げて第１乗りかご３０３をかごフレーム３０１内で昇降させることができる。このことにより、上下方向で乗り場間の高さが異なる場合であっても、第１乗りかご３０３をかごフレーム３０１内で昇降させることによって、第１乗りかご３０３及び第２乗りかご３０４を対応する乗り場に対してそれぞれ位置合せすることができる。このような形態によれば、乗りかごをかごフレーム３０１内で昇降させるための機構を簡易にすることができ、当該機構を構成する構成部品の据付を容易に行うことができる。
【００８３】
なお、本発明の複数の実施の形態およびそれらの変形例を説明してきたが、当然に、複数の実施の形態およびそれらの変形例を適宜組み合わせて適用することも可能である。例えば、図４〜図７Ａ及び図７Ｂに示す変形例は、図１Ａに示す第１の実施の形態、図３に示す第２の実施の形態、図８に示す第３の実施の形態及び図９に示す第４の実施の形態に適用してもよい。
【符号の説明】
【００８４】
１    エレベータ
２    昇降路
３    乗りかご
７    ロープヒッチ
１０  ロープ
１１  上端
２０  可動シーブ
３０  シーブ駆動部
３１  ボールネジ
４０  かご固定シーブ
５０  支持機構
１２０  可動シーブ
１３０  シーブ駆動部
１３１  パンタグラフジャッキ
３００  ダブルデッキ型エレベータ
３０１  かごフレーム
３０２  昇降路
３０３  第１乗りかご
３０４  第２乗りかご
３１０  第１ロープ
３１１  上端
３２０  第１可動シーブ
３３０  第１シーブ駆動部
３４０  第１かご固定シーブ
３５０  第１支持機構
３６０  第２ロープ
３６１  上端
３７０  第２可動シーブ
３８０  第２シーブ駆動部
３９０  第２かご固定シーブ
４００  第２支持機構
５０２  昇降路
５０３  乗りかご
５０４  巻上機シーブ
５０５  吊り合いおもり
５１０  ロープ
５１１  上端
【図１Ａ】
0005607703.tif 000002
【図１Ｂ】
0005607703.tif 000003
【図２】
0005607703.tif 000004
【図３】
0005607703.tif 000005
【図４】
0005607703.tif 000006
【図５】
0005607703.tif 000007
【図６】
0005607703.tif 000008
【図７Ａ】
0005607703.tif 000009
【図７Ｂ】
0005607703.tif 000010
【図８】
0005607703.tif 000011
【図９】
0005607703.tif 000012
【図１０】
0005607703.tif 000013